(57)【要約】【課題】通信情報のトラフィック以外のトラフィックの増大がまねかれて通信効率の低下が生じるという問題等を伴わない、新しい通信ネットワークを構築できる複数の中継ノードの夫々の形成に供することができるものとする。【解決手段】インターフェース部１２とコア部１３とを備える。インターフェース部１２から受信された通信信号に基づくフレーム化データに含まれたヘッダデータがコア部１３に送出され、コア部１３において、ヘッダデータと履歴データベースの履歴データとが比較され、その結果に応じたフラッグがヘッダデータに付されるヘッダ処理が行われて、ヘッダ処理済のヘッダデータがインターフェース部１２に送り返される。インターフェース部１２により、元のフレーム化データにおける識別情報が、ヘッダ処理済のヘッダデータに付されたフラッグに従って変更され、識別情報が変更されたフレーム化データに基づく出力通信信号が送信される。【選択図】図１
2006074413.tif 000002
【特許請求の範囲】
【請求項１】
到来する通信信号を受信して入力情報信号を得る受信入力部と、
上記入力情報信号に基づく識別情報が配されるフレームヘッダ領域と通信情報が配される情報領域とを含んだフレームを構成するフレーム化データを、上記フレームに付加ヘッダ領域が追加されたものとして、第１のメモリ手段に格納するとともに、該第１のメモリ手段に格納されたフレーム化データに含まれる付加ヘッダ領域及びフレームヘッダ領域の情報をヘッダデータとして取り出し、該ヘッダデータをデータ伝送路に送出するフレーム化データ処理部と、
上記データ伝送路に送出されたヘッダデータを第２のメモリ手段に格納するとともに、該第２のメモリ手段に格納されたヘッダデータを取り出すヘッダデータ格納部と、
該ヘッダデータ格納部から取り出されるヘッダデータを、場合に応じて、履歴データとして第３のメモリ手段に保存する履歴データ保存部と、
上記ヘッダデータ格納部及び上記履歴データ保存部の動作を制御し、上記第２のメモリ手段から取り出されるヘッダデータと上記第３のメモリ手段に保存された履歴データとの比較を行うとともに、上記第２のメモリ手段に格納されたヘッダデータに上記比較の結果に応じた処理を施し、該処理が施された処理済ヘッダデータを、上記データ伝送路を通じて上記フレーム化データ処理部へと伝送する第１の管理部と、
上記フレーム化データ処理部の動作を制御し、上記フレーム化データ処理部に伝送された上記処理済ヘッダデータに応じて、上記第１のメモリ手段に格納されたフレーム化データに含まれるフレームヘッダ領域の識別情報についての変更が行われ、該変更が行われたフレーム化データがフレーム分解されて出力情報信号が得られる状態を設定する第２の管理部と、
上記出力情報信号に基づく出力通信信号を送信する出力送信部と、
を備えて構成される通信装置。
【請求項２】
上記第１，第２及び第３のメモリ手段の夫々がリングバッファによって構成されることを特徴とする請求項１記載の通信装置。
【請求項３】
上記受信入力部から得られる入力情報信号に基づく入力情報ディジタル信号を得るディジタル信号発生部、及び、上記入力情報ディジタル信号にフレーム化処理を施して上記フレーム化データを形成するフレーム化処理部を備えることを特徴とする請求項１記載の通信装置。
【請求項４】
上記変更が行われたフレーム化データにフレームを分解する処理を施して出力ディジタルデータを得るフレーム分解処理部、及び、上記出力ディジタルデータに基づく上記出力情報信号を得るアナログ信号発生部を備えることを特徴とする請求項３記載の通信装置。
【請求項５】
上記フレーム化処理部及び上記フレーム分解処理部が一つのフレーム化／分解処理部に含まれるものとして構成されることを特徴とする請求項４記載の通信装置。
【請求項６】
上記フレーム化データ処理部が、上記第１のメモリ手段と、上記第２の管理部による動作制御を受けて、上記第１のメモリ手段に対するデータ書込み，上記第１のメモリ手段からのデータ読出し、及び、上記第１のメモリ手段からのデータ転送を含んだ制御を行うデータ制御部とを含んで構成されることを特徴とする請求項１記載の通信装置。
【請求項７】
上記ヘッダデータ格納部が、上記第２のメモリ手段と、上記第１の管理部による動作制御を受けて、上記第２のメモリ手段に対するデータ書込み及び上記第２のメモリ手段からのデータ読出しを行うヘッダデータメモリ制御部とを含んで構成されることを特徴とする請求項１記載の通信装置。
【請求項８】
上記履歴データ保存部が備える第３のメモリ手段が第１及び第２の区分メモリ手段を有していて、上記履歴データが上記第２の区分メモリ手段に書き込まれており、上記履歴データ保存部が、上記第３のメモリ手段に加えて、上記第１の管理部による動作制御を受けて、上記ヘッダデータ格納部により取り出されるヘッダデータの上記第１の区分メモリ手段への書込み、上記第１の区分メモリ手段に書き込まれたヘッダデータの上記第１の区分メモリ手段からの読出し，上記第１の区分メモリ手段から読み出されたヘッダデータの、場合に応じた、上記第２の区分メモリ手段への書込みを含んだ制御を行う履歴データメモリ制御部とを含んで構成されることを特徴とする請求項１記載の通信装置。
【請求項９】
上記第１の管理部が、集中制御部と、該集中制御部により制御されて、上記ヘッダデータ格納部に上記第２のメモリ手段に対するデータ書込み，上記第２のメモリ手段からのデータ読出し、及び、上記第２のメモリ手段からのデータ転送を含んだ制御を行わせるとともに、上記履歴データ保存部に上記第３のメモリへのデータ格納を含んだ制御を行わせるデータ処理部とを含んで構成されることを特徴とする請求項１記載の通信装置。
【発明の詳細な説明】
【技術分野】
【０００１】
本願の特許請求の範囲に記載された発明は、例えば、複数の通信端末相互間の通信を可能とする通信ネットワークにおける中継ノードの形成に供することができる通信装置に関する。
【背景技術】
【０００２】
複数の携帯電話機あるいはパーソナルコンピュータ等の通信端末の相互間における通信は、予め構築された通信ネットワークを通じて、無線方式あるいは有線方式をもって行われる。このような通信ネットワークの一形態として、メッシュ・ネットワークと称されるものが提案されている。
【０００３】
メッシュ・ネットワークは、中央管理機能を果たす基地ノードとその支配下に置かれる複数の中継ノードとが配されて構築される通信ネットワークとは異なり、中央管理機能を果たす基地ノードに相当するものは無く、複数の中継ノードが、夫々の通信エリアを相互にオーバーラップさせるもとで順次隣接するものとして配され、それにより、通信路を網目状に広げていくようにされた通信ネットワークである。そして、メッシュ・ネットワークにあっては、例えば、ある中継ノードに障害が発生して一旦通信が中断しても、他の中継ノードを経由しての通信の復旧を迅速に図ることができる、さらには、新たな中継ノードをネットワークに追加することが容易である等々の利点が得られる。
【０００４】
そして、斯かるメッシュ・ネットワークについては、既に、種々の改良技術が提案されている。このような改良技術としては、例えば、メッシュ・ネットワークにおける中継ノード間において送受される通信信号について、その信号レート，変調態様，周波数帯域等々の信号特性を中継ノードの受信性能に応じて変更することにより、ネットワークにおける一定時間内の情報処理量を拡大させるようにすることが挙げられる（例えば、特許文献１参照。）。また、無線メッシュ・ネットワークを構築する複数の中継ノードの夫々を、指向性アンテナシステムを備えるものとし、中継ノード間における無線通信に応じて、当該中継ノードにおける指向性アンテナシステムにより設定されるアンテナ指向性を選定することにより、ネットワークにおける通信効能を向上させるようにすることも挙げられる（例えば、特許文献２参照。）。
【特許文献１】米国特許第６，４８０，４９７号明細書
【特許文献２】米国特許第６，６４０，０８７号明細書
【発明の開示】
【発明が解決しようとする課題】
【０００５】
上述のようなメッシュ・ネットワークにあっては、前述のような利点と共に、その欠点も認められる。例えば、メッシュ・ネットワークを構築する複数の中継ノード間においては、当該メッシュ・ネットワークにおける送信元から送信先に到るまでの通信経路についての情報、即ち、経路情報の転送が頻繁に行われることになり、それゆえ、本来の通信情報についてのトラフィック以外のトラフィックの増大がまねかれて、通信効率が低下してしまうという問題がある。また、メッシュ・ネットワークを構築する中継ノードの数が増大するに従って、中継ノード間における各中継ノードについての位置や他の中継ノードとのリンク状態等のネットワーク制御情報の送受が頻繁になり、それゆえ、ネットワーク制御情報についてのデータ量が増大して、ネットワークが不安定になってしまうという問題もある。
【０００６】
メッシュ・ネットワークを構築しているものが複数の中継ノードであってみれば、上述のような問題は、結局のところ、メッシュ・ネットワークを構築する複数の中継ノードの夫々が果たすべきこととして具えている機能に起因してもたらされることになる。
【０００７】
斯かる点に鑑み、本願の特許請求の範囲に記載された発明は、メッシュ・ネットワークの利点を超える利点を具え、それに加えて、本来の通信情報についてのトラフィック以外のトラフィックの増大がまねかれることにより通信効率の低下が生じるという問題、さらには、ネットワーク制御情報についてのデータ量が増大することによりネットワークが不安定になる問題等を伴わない、新しい通信ネットワークを構築できる複数の中継ノードの夫々の形成に供することができる通信装置を提供する。
【課題を解決するための手段】
【０００８】
本願の特許請求の範囲における請求項１から請求項９までのいずれかに記載された発明（以下、本発明という。）に係る通信装置は、到来する通信信号を受信して入力情報信号を得る受信入力部と、入力情報信号に基づく識別情報が配されるフレームヘッダ領域と通信情報が配される情報領域とを含んだフレームを構成するフレーム化データを、そのフレームに付加ヘッダ領域が追加されたものとして、第１のメモリ手段に格納するとともに、第１のメモリ手段に格納されたフレーム化データに含まれる付加ヘッダ領域及びフレームヘッダ領域の情報をヘッダデータとして取り出し、それをデータ伝送路に送出するフレーム化データ処理部と、データ伝送路に送出されたヘッダデータを第２のメモリ手段に格納するとともに、第２のメモリ手段に格納されたヘッダデータを取り出すヘッダデータ格納部と、ヘッダデータ格納部から取り出されるヘッダデータを、場合に応じて、履歴データとして第３のメモリ手段に保存する履歴データ保存部と、ヘッダデータ格納部及び履歴データ保存部の動作を制御し、第２のメモリ手段から取り出されるヘッダデータと第３のメモリ手段に保存された履歴データとの比較を行うとともに、第２のメモリ手段に格納されたヘッダデータに比較の結果に応じた処理を施し、その処理が施された処理済ヘッダデータを、データ伝送路を通じてフレーム化データ処理部へと伝送する第１の管理部と、フレーム化データ処理部の動作を制御し、フレーム化データ処理部に伝送された処理済ヘッダデータに応じて、第１のメモリ手段に格納されたフレーム化データに含まれるフレームヘッダ領域の識別情報についての変更が行われ、その変更が行われたフレーム化データがフレーム分解されて出力情報信号が得られる状態を設定する第２の管理部と、出力情報信号に基づく出力通信信号を送信する出力送信部と、を備えて構成される。
【０００９】
特に、本願の特許請求の範囲における請求項２に記載された発明に係る通信装置にあっては、第１，第２及び第３のメモリ手段の夫々がリングバッファによって構成される。
【００１０】
上述のように構成される本発明に係る通信装置にあっては、到来する通信信号に基づいて形成されるフレーム化データが、フレーム化データ処理部における、例えば、リングバッファによって構成される第１のメモリ手段に格納される。そして、フレーム化データ処理部において、第１のメモリ手段に格納されたフレーム化データに含まれるヘッダデータが取り出され、それが、データ伝送路を通じて伝送されて、ヘッダデータ格納部における、例えば、リングバッファによって構成される第２のメモリ手段に格納される。さらに、第１の管理部により、第２のメモリ手段に格納されたヘッダデータと、例えば、リングバッファによって構成される第３のメモリ手段に格納された履歴データとの比較が行われ、また、第２のメモリ手段に格納されたヘッダデータが、場合に応じて、履歴データとして第３のメモリ手段に格納される。
【００１１】
さらに、第１の管理部により、第２のメモリ手段に格納されたヘッダデータに履歴データーとの比較の結果に応じた処理が施されて処理済ヘッダデータが得られ、それが、データ伝送路を通じて伝送されて、フレーム化データ処理部へと伝送される。そして、第２の管理部による動作制御のもとで、フレーム化データ処理部における第１のメモリ手段に格納されたフレーム化データに含まれるフレームヘッダ領域の識別情報についての処理済ヘッダデータに応じた変更が行われて、その変更が行われたフレーム化データに基づく出力情報信号が得られ、その出力情報信号に基づく出力通信信号が送信される。
【００１２】
このようなもとで、フレーム化データに含まれるフレームヘッダ領域に配される識別情報は、到来する通信信号の送信元及び送信先、さらには、到来直前に経由した通信装置等をあらわす情報を含んだものとされる。斯かるもとで、送信される出力通信信号は、到来した通信信号に含まれた識別情報が、履歴データ保存部における第３のメモリ手段に格納された履歴データがあらわす情報に応じて変更された識別情報を含むものとされる。
【発明の効果】
【００１３】
上述のようにして、本発明に係る通信装置によれば、到来する通信信号が受信され、それに、通信情報に付随して含まれる識別情報についての、事前に保存された履歴データとの比較及びその比較の結果に基づく変更が行われて、通信情報に加えて変更された識別情報を含んだ出力通信信号が、到来する通信信号に基づくものとして形成され、その出力通信信号が送信される。従って、本発明に係る通信装置を、複数個、相互に隣接するものが通信リンクを形成するようにして配置することにより、それらを中継ノードとする通信ネットワークを形成できることになる。即ち、本発明に係る通信装置は、通信ネットワークを形成する複数の中継ノードの夫々の形成に供することができるものである。
【００１４】
各々が本発明に係る通信装置が適用されて形成されるものとされた複数の中継ノードにより構成される通信ネットワークにあっては、通常、各中継ノードから複数の他の中継ノードあるいは通信端末への通信信号の送信が行われ、ある中継ノードに障害が発生しても、通信を中断させることなく、他の中継ノードを経由して通信を継続することができ、さらには、新たな中継ノードをネットワークに追加することが著しく容易である等々の、メッシュ・ネットワークの利点を超える利点が得られる。そして、それに加え、複数の中継ノード間において、通信信号の送信元から送信先に到るまでの通信経路についての情報である経路情報の転送が頻繁に行われることはない。その結果、本来の通信情報についてのトラフィック以外のトラフィックの増大がまねかれて、通信効率が低下してしまうという問題は生じない。また、中継ノードの数が増大しても、それに従って中継ノード間における各中継ノードについての位置や他の中継ノードとのリンク状態等のネットワーク制御情報の送受が頻繁になることもない。その結果、ネットワーク制御情報についてのデータ量が増大して、ネットワークが不安定になってしまうという問題も生じない。
【００１５】
従って、本発明に係る通信装置は、メッシュ・ネットワークの利点を超える利点を具え、それに加えて、本来の通信情報についてのトラフィック以外のトラフィックの増大がまねかれることにより通信効率の低下が生じるという問題、さらには、ネットワーク制御情報についてのデータ量が増大することによりネットワークが不安定になる問題等を伴わないことになる、新しい通信ネットワークを構築できる複数の中継ノードの夫々の形成に供することができるものとなる。
【発明を実施するための最良の形態】
【００１６】
本発明を実施するための最良の形態は、以下に述べられる本発明についての適用例及び実施例をもって説明される。
【００１７】
図２は、本発明に係る通信装置の一例の適用例である中継ノードが複数個連結されて構築された通信ネットワークの例を示す。
【００１８】
図２に示される通信ネットワークにあっては、夫々が“BASE”と表示されるものとされた複数の中継ノード１１ａ〜１１ｉが、互いに隣接するもの同士が各々の通信可能域を相互にオーバーラップさせて配されている。このような中継ノード１１ａ〜１１ｉのうちの実線矢印によって結ばれている二つが、相互間通信が行われるものである。そして、中継ノード１１ａ〜１１ｉの各々は、それに到来する通信信号に関連した履歴データがメモリ手段に格納されて形成される履歴データベースＨＤＢを備えている（履歴データベースについては後述される。）。
【００１９】
中継ノード１１ａ〜１１ｉの夫々もしくは中継ノード１１ａ〜１１ｉのうちの一部のものには、一つもしくは複数個の、例えば、携帯電話機，パーソナルコンピュータ等の通信端末が、それに所属するものとして登録されている。各通信端末は、それに固有の識別情報によって特定される。
【００２０】
このようなもとで、例えば、中継ノード１１ａに所属した通信端末ＴＥ１から、中継ノード１１ｉに所属した通信端末ＴＥ２に向けた通信が行われるとすると、通信端末ＴＥ１を送信元として通信端末ＴＥ２を送信先とする通信信号が、通信端末ＴＥ１から発せられた後、例えば、中継ノード１１ａ→中継ノード１１ｂ→中継ノード１１ｅ→中継ノード１１ｆ→中継ノード１１ｉという経路を通じて、通信端末ＴＥ２に伝達される。その際、中継ノード１１ａ〜１１ｉの夫々において、到来する通信信号が、それに含まれる各種の識別情報が履歴データベースＨＤＢに保存された履歴データが参照されて処理されるものとされるもとで、他の中継ノードあるいは通信端末へと送り出され、それにより通信信号が中継されていく。
【実施例】
【００２１】
図１は、図２に示される中継ノード１１ａ〜１１ｉの夫々を形成することができる、本発明に係る通信装置の一例を示す。
【００２２】
図１に示される例は、インターフェース部１２とコア部１３とが、メインバス１４及びシステムバス１５を通じて相互連結されて構成されている。インターフェース部１２においては、受信入力部２１が外部から到来する通信信号ＳＣ１〜ＳＣｎ（ｎは正整数）を受信して、通信信号ＳＣ１〜ＳＣｎに夫々対応した入力情報信号ＳＩ１〜ＳＩｎを得、それらをアナログ／ディジタル（Ａ／Ｄ）変換・選択部２２に供給する。Ａ／Ｄ変換・選択部２２は、入力情報信号ＳＩ１〜ＳＩｎの夫々に、内蔵するＡ／Ｄ変換手段によるＡ／Ｄ変換処理を施して、ｎ個の入力情報ディジタル信号を得るとともに、それらのうちの一つを選択して、入力ディジタルデータＤＤとして送出し、それをメディア・アクセス・コントロール（ＭＡＣ）部２３に供給する。
【００２３】
ＭＡＣ部２３においては、Ａ／Ｄ変換・選択部２２からの入力ディジタルデータＤＤが、データについてのフレーム分解処理及びフレーム化処理を行うフレーム分解・フレーム化処理（ＳＡＲ）部２４に供給される。ＳＡＲ部２４は、入力ディジタルデータＤＤに対するフレーム化処理を行って、フレームヘッダ領域とそれに続く情報領域とを含んだフレームを構成するフレーム化データＤＦを、受信入力部２１から得られる入力情報信号ＳＩ１〜ＳＩｎのうちの選択されたものに基づくものとして形成し、それをフレーム化データ処理部２５に供給する。フレーム化データＤＦが構成するフレームにおけるフレームヘッダ領域には、受信入力部２１から得られる入力情報信号ＳＩ１〜ＳＩｎのうちの選択されたものについての送信元をあらわす識別情報，送信先をあらわす識別情報，通過した中継ノードをあらわす識別情報等の各種の識別情報が配され、また、情報領域には、入力情報信号ＳＩ１〜ＳＩｎのうちの選択されたものにより伝達される通信情報が配される。
【００２４】
フレーム化データ処理部２５は、ＭＡＣ管理部２６による集中管理及び動作制御のもとに動作し、ＳＡＲ部２４から得られるフレーム化データＤＦを、内蔵するメモリ手段に所定のアドレスをもって格納するとともに、そのフレーム化データＤＦが構成するフレームに、Ｂａｓｅヘッダ領域を、例えば、フレームヘッダ領域に先立つ付加ヘッダ領域として追加する。Ｂａｓｅヘッダ領域には、フレーム化データ処理部２５にフレーム化データＤＦが到着した時点をあらわす時間情報，当該フレーム化データＤＦの到来回数をあらわす回数情報等のＢａｓｅ情報が配される。
【００２５】
また、フレーム化データ処理部２５に内蔵されたメモリ手段に格納されるフレーム化データＤＦが、フレーム化データ処理部２５が属するＭＡＣ部２３を含んだ中継ノードにとって不要なものである場合には、その旨の判断がＭＡＣ管理部２６によって行われる。そして、ＭＡＣ管理部２６により不要と判断されたフレーム化データＤＦについては、それが形成するフレームのＢａｓｅヘッダ領域に、そのまま他の中継ノードへと送出されるべきものであることをあらわす送出フラッグが付与される。そして、フレーム化データ処理部２５が、ＭＡＣ管理部２６により、そのまま他の中継ノードへと送出されるべきものと判断されたフレーム化データＤＦにおける、付加ヘッダ領域を除いた、フレームヘッダ領域とそれに続く情報領域とを取り出し、それらを含んだフレームを構成する送信用フレーム化データＤＦＴを形成して、それをＳＡＲ部２４へと送出する。ＭＡＣ管理部２６により不要と判断されたフレーム化データＤＦが形成するフレームにおけるＢａｓｅヘッダ領域については、フレーム化データ処理部２５が廃棄処分する。
【００２６】
フレーム化データ処理部２５からの送信用フレーム化データＤＦＴを受けたＳＡＲ部２４は、送信用フレーム化データＤＦＴについてのフレーム分解処理を行い、送信用フレーム化データＤＦＴが形成するフレームを分解して出力ディジタルデータＤＤＴを得、それを選択・ディジタル・アナログ（Ｄ／Ａ）変換部２７に供給する。選択・Ｄ／Ａ変換部２７は、内蔵する複数のＤ／Ａ変換手段のいずれかを選択して、出力ディジタルデータＤＤＴに選択されたＤ／Ａ変換手段によるＤ／Ａ変換処理を施し、出力情報信号ＳＯ１〜ＳＯｎのいずれかを得て、それを出力送信部２８に供給する。出力送信部２８は、出力情報信号ＳＯ１〜ＳＯｎのいずれかに基づく出力通信信号ＳＮ１〜ＳＮｎのうちのいずれかを、送信する。斯かる際には、入力通信信号ＳＣ１〜ＳＣｎが受信されて得られる入力情報信号ＳＩ１〜ＳＩｎのうちの選択されたものが、コア部１３に関わることなく、言わば、コア部１３をバイパスして、出力情報信号ＳＯ１〜ＳＯｎのいずれかとされ、入力通信信号ＳＮ１〜ＳＮｎのいずれかの形をとって他の中継ノードへと送信される、バイパス送信動作が行われることになる。
【００２７】
上述における、Ａ／Ｄ変換・選択部２２による、入力情報信号ＳＩ１〜ＳＩｎの夫々に基づくｎ個の入力情報ディジタル信号についての、それらのうちの一つを入力ディジタルデータＤＤとする選択、及び、選択・Ｄ／Ａ変換部２７による内蔵する複数のＤ／Ａ変換手段のいずれかについての選択は、ＭＡＣ部２３におけるＭＡＣ管理部２６による動作制御に従って行われる。
【００２８】
これに対して、フレーム化データ処理部２５に内蔵されたメモリ手段に格納されるフレーム化データＤＦが、フレーム化データ処理部２５が属するＭＡＣ部２３を含んだ中継ノードにとって必要なものである場合には、その旨の判断がＭＡＣ管理部２６によって行われる。そして、フレーム化データ処理部２５が、ＭＡＣ管理部２６により必要なものと判断されたフレーム化データＤＦに含まれるＢａｓｅヘッダ領域及びフレームヘッダ領域を複写して取り出し、それらにより成るフレームを構成するヘッダデータＤＨを形成して、それをメインバス１４へと送出し、ヘッダデータＤＨがインターフェース部１２からメインバス１４を通じてコア部１３へと転送されるようにする。
【００２９】
コア部１３には、コア管理部３１，ヘッダデータ格納部３２及び履歴データ保存部３３が備えられており、コア管理部３１は、集中制御部３４及び集中制御部３４による動作制御を受けるデータ処理部３５を含んで構成されている。コア管理部３１におけるデータ処理部３５とヘッダデータ格納部３２と履歴データ保存部３３とは、システムバス１５を通じて相互連結されており、ヘッダデータ格納部３２と履歴データ保存部３３との夫々は、コア管理部３１による集中管理及び動作制御のもとに動作する。そして、コア管理部３１におけるデータ処理部３５とヘッダデータ格納部３２との夫々が、メインバス１４に連結されている。
【００３０】
このようなもとで、コア部１３においては、メインバス１４を通じて到来するＢａｓｅヘッダ領域及びフレームヘッダ領域より成るフレームを構成するヘッダデータＤＨが、ヘッダデータ格納部３２に供給され、コア管理部３１による動作制御に従い、ヘッダデータ格納部３２に内蔵されたメモリ手段に所定のアドレスをもって格納される。
【００３１】
そして、ヘッダデータ格納部３２に内蔵されたメモリ手段に格納されたヘッダデータＤＨが、コア管理部３１による動作制御に従い、場合に応じて、ヘッダデータ格納部３２に内蔵されたメモリ手段から読み出され、システムバス１５を通じて、履歴データ保存部３３に供給される。履歴データ保存部３３には、過去においてコア部１３に到来したヘッダデータが履歴データとしてメモリ手段に保存されて成る履歴データベースが構築されている。そして、履歴データ保存部３３は、コア管理部３１による動作制御に従い、ヘッダデータ格納部３２から取り出されて履歴データ保存部３３に供給されるヘッダデータＤＨを、場合に応じて、履歴データとして履歴データベースを構築するメモリ手段に保存し、履歴データベースを増築する。
【００３２】
また、コア部１３にあっては、集中制御部３４による動作制御のもとに、データ処理部３５が、ヘッダデータ格納部３２においてそれに内蔵されたメモリ手段に格納されたヘッダデータＤＨと、履歴データ保存部３３において履歴データベースを構築するメモリ手段に保存された履歴データとの比較を行う。そして、データ処理部３５は、その比較の結果から、例えば、ヘッダデータＤＨが得られることになった元の入力情報信号の送信元が、当該データ処理部３５が配された通信装置により形成される中継ノードに所属する通信端末であるか否か，ヘッダデータＤＨが得られることになった元の入力情報信号の送信先が、当該データ処理部３５が配された通信装置により形成される中継ノードに所属する通信端末であるか否か，ヘッダデータＤＨが得られることになった元の入力情報信号が、過去において当該データ処理部３５が配された通信装置に到来したことがあるか等々について判定する。さらに、データ処理部３５は、判定結果に応じたフラッグをヘッダデータＤＨに付与するフラッグ処理を行い、フラッグ処理済のヘッダデータＤＨをメインバス１４を通じてインターフェース部１２のＭＡＣ部２３におけるフレーム化データ処理部２５へと転送する。
【００３３】
コア部１３からのフラッグ処理済のヘッダデータＤＨが供給されたフレーム化データ処理部２５は、ＭＡＣ管理部２６による動作制御のもとに、フレーム化データ処理部２５に内蔵されたメモリ手段に格納されているフレーム化データＤＦが形成するフレームに含まれるフレームヘッダ領域の識別情報に、フラッグ処理済のヘッダデータＤＨに付与されたフラッグに応じた追加，修正等の変更を加える。そして、フレーム化データ処理部２５は、それに内蔵されたメモリ手段から、変更が加えられた識別情報が配されたフレームヘッダ領域とそれに続く情報領域とから成るフレームを形成するフレーム化データＤＦを取り出し、それを送信用フレーム化データＤＦＴとしてＳＡＲ部２４へと送出する。斯かるフレーム化データＤＦに関連するものとしてフレーム化データ処理部２５におけるメモリ手段に残されたフレームのＢａｓｅヘッダ領域については、フレーム化データ処理部２５によって廃棄処分が行われる。
【００３４】
このようにしてフレーム化データ処理部２５から得られる送信用フレーム化データＤＦＴについても、ＳＡＲ部２４によるフレーム分解処理が行われて出力ディジタルデータＤＤＴが得られ、その出力ディジタルデータＤＤＴが選択・Ｄ／Ａ変換部２７により出力情報信号ＳＯ１〜ＳＯｎのいずれかとされて、それが出力送信部２８に供給される。そして、出力送信部２８により、出力情報信号ＳＯ１〜ＳＯｎのいずれかに基づく出力通信信号ＳＮ１〜ＳＮｎのうちのいずれかが、送信される。
【００３５】
上述のような図１に示される通信装置の例において行われる動作は、その基本的要素を簡略化して要点のみを取り上げると、図３に示される概念図によってあらわされるものとなる。図３の概念図にあっては、先ず、インターフェース部１２において、外部から到来する通信信号が受信され、受信された通信信号に対応した入力情報信号が再生される。次に、再生された入力情報信号にフレーム化処理が施され、フレーム化データが形成されてメモリ手段に格納されるとともに、付加ヘッダ情報が付加される。
【００３６】
続いて、そのフレーム化データに対して、図１に示される通信装置の例が形成する中継ノードにとって不要なものであって、そのまま他の中継ノードへとバイパス送出されるべきものであるか否かを判定するバイパス判定が行われる。バイパス判定の結果、バイパス送出されるべきものである場合には、当該フレーム化データに対するフレーム分解処理が施されて出力情報信号が形成され、その出力情報信号に基づく出力通信信号が送信される。それに対して、バイパス判定の結果、バイパス送出されるべきものでない場合には、当該フレーム化データに含まれるヘッダデータが、コア部１３に送られる。
【００３７】
そして、コア部１３において、インターフェース部１２からのヘッダデータとコア部１３に構築された履歴データベースに保存されている履歴データとの比較が行われ、その比較結果に応じたフラッグがヘッダデータに付与されるヘッダ処理が行われて、ヘッダ処理済のヘッダデータが、コア部１３からインターフェース部１２に送り返される。それにより、インターフェース部１２のメモリ手段に格納されていたフレーム化データにおける識別情報が、ヘッダ処理済のヘッダデータに付与されたフラッグに従って変更される。その後、インターフェース部１２において、識別情報が変更されたフレーム化データに対するフレーム分解処理が施されて出力情報信号が形成され、その出力情報信号に基づく出力通信信号が送信される。
【００３８】
上述のような図１に示される通信装置の例により形成される中継ノードが複数個配され、互いに隣接するもの同士が相互連結状態におかれる場合には、例えば、図２に示されるような中継ノード１１ａ〜１１ｉを含んだ通信ネットワークが構成される。このような通信ネットワークにあっては、通常、各中継ノードから複数の他の中継ノードあるいは通信端末への通信信号の送信が行われ、ある中継ノードに障害が発生しても、通信を中断させることなく、他の中継ノードを経由して通信を継続することができ、さらには、新たな中継ノードをネットワークに追加することが著しく容易であることになる。そして、それに加え、斯かる通信ネットワークにあっては、複数の中継ノード間において、通信信号の送信元から送信先に到るまでの通信経路についての情報である経路情報の転送が頻繁に行われることがなく、従って、本来の通信情報についてのトラフィック以外のトラフィックの増大がまねかれて、通信効率が低下してしまうという問題は生じない。また、中継ノードの数が増大しても、それに従って中継ノード間における各中継ノードについての位置や他の中継ノードとのリンク状態等のネットワーク制御情報の送受が頻繁になることもなく、その結果、ネットワーク制御情報についてのデータ量が増大して、ネットワークが不安定になってしまうという問題も生じない。
【００３９】
図４は、図１に示されるインターフェース部１２の具体構成例を示す。
【００４０】
図４に示される具体構成例にあっては、外部から到来する、例えば、前述の通信信号ＳＣ１〜ＳＣｎのような通信信号が、受信アンテナ４１を通じて高周波増幅部４２に供給される。そして、高周波増幅部４２により増幅された通信信号が、各々の搬送波周波数に応じた帯域通過フィルタ（ＢＰＦ）４３ａ〜４３ｎを夫々通過して、受信部４４ａ〜４４ｎに供給される。受信部４４ａ〜４４ｎの夫々においては、ＢＰＦ４３ａ〜４３ｎを通じた通信信号についての周波数変換処理，レベル調整処理，復調処理等が行われて、通信信号に基づく入力情報信号が再生される。従って、受信アンテナ４１，高周波増幅部４２，ＢＰＦ４３ａ〜４３ｎ及び受信部４４ａ〜４４ｎは、図１に示される受信入力部２１を形成していることになる。
【００４１】
受信部４４ａ〜４４ｎから得られる入力情報信号は、Ａ／Ｄ変換部４５ａ〜４５ｎに供給される。Ａ／Ｄ変換部４５ａ〜４５ｎの夫々においては、受信部４４ａ〜４４ｎからの入力情報信号にＡ／Ｄ変換処理が施されることにより入力情報信号がディジタル化され、入力情報ディジタル信号が形成されて、それが選択部４６に供給される。即ち、Ａ／Ｄ変換部４５ａ〜４５ｎは、受信部４４ａ〜４４ｎからの入力情報信号に基づく入力情報ディジタル信号を形成するディジタル信号発生部を形成している。
【００４２】
選択部４６は、ＭＡＣ部２３におけるＭＡＣ管理部２６により制御される選択制御部４７による動作制御のもとに、Ａ／Ｄ変換部４５ａ〜４５ｎからの入力情報ディジタル信号のうちの一つを選択して取り出し、例えば、入力ディジタルデータＤＤのような，受信部４４ａ〜４４ｎから得られる入力情報信号のうちの選択されたものに基づく入力ディジタルデータとしてメモリ部４８に供給する。メモリ部４８においては、例えば、ＭＡＣ部２３におけるＭＡＣ管理部２６による制御のもとに、入力ディジタルデータの書込み及び読出しが行われ、メモリ部４８からの入力ディジタルデータが、ＭＡＣ部２３におけるＳＡＲ部２４に供給される。従って、Ａ／Ｄ変換部４５ａ〜４５ｎ，選択部４６，選択制御部４７及びメモリ部４８は、図１に示されるＡ／Ｄ変換・選択部２２を形成していることになる。
【００４３】
ＭＡＣ部２３におけるＳＡＲ部２４にあっては、メモリ部４８からの入力ディジタルデータに、ＳＡＲ部２４に内蔵されたフレーム化処理部４９によるフレーム化処理が施されて、例えば、図５のＡに示されるような、フレームヘッダ領域とそれに続く情報領域とを含んだフレームを構成するフレーム化データが、受信部４４ａ〜４４ｎから得られる入力情報信号のうちの選択されたものに対応するものとして形成され、それがフレーム化データ処理部２５に供給される。
【００４４】
フレーム化データ処理部２５にあっては、ＳＡＲ部２４におけるフレーム化処理部４９から得られるフレーム化データが、ＭＡＣメモリ部５０に格納される。ＭＡＣメモリ部５０は、例えば、リング・バッファ(Ring Buffer) によって構成され、それにおけるデータの格納及びそれからのデータの取出しは、各々がＭＡＣ管理部２６による動作制御のもとにおかれるデータ処理部５１，データ転送部５２，データ廃棄部５３，データ取込部５４及びデータ送出制御部５５によって制御される。
【００４５】
ＭＡＣメモリ部５０に格納されるフレーム化データが構成するフレームにおけるフレームヘッダ領域には、受信部４４ａ〜４４ｎから得られる入力情報信号のうちの選択されたものについての送信元，送信先，通過した中継ノード等あらわす各種の識別情報が配され、また、情報領域には、入力情報信号のうちの選択されたものにより伝達される通信情報が配される。
【００４６】
また、フレーム化データ処理部２５にあっては、例えば、データ処理部５１により、ＭＡＣメモリ部５０に格納されるフレーム化データが構成するフレームに、Ｂａｓｅヘッダ領域が、例えば、フレームヘッダ領域に先立つ付加ヘッダ領域として追加される。Ｂａｓｅヘッダ領域には、フレーム化データ処理部２５にフレーム化データが到着した時点をあらわす時間情報，当該フレーム化データの到来回数をあらわす回数情報等のＢａｓｅ情報が配される。その結果、ＭＡＣメモリ部５０に格納されたフレーム化データは、例えば、図５のＢに示されるような、Ｂａｓｅヘッダ領域とフレームヘッダ領域と情報領域とを含んで形成されるフレームを構成するものとされる。
【００４７】
上述のようにして、ＭＡＣメモリ部５０にフレーム化データが格納されたもとにおいて、ＭＡＣ部２３においては、ＭＡＣメモリ部５０に格納されたフレーム化データが、ＭＡＣ部２３を含んだ中継ノードにとって不要なものである場合には、その旨の判断が、例えば、データ処理部５１を通じて情報を得たＭＡＣ管理部２６によって行われる。そして、ＭＡＣ管理部２６により不要と判断されたフレーム化データについては、それが形成するフレームのＢａｓｅヘッダ領域に、そのまま他の中継ノードへと送出されるべきものであることをあらわす送出フラッグが、データ処理部５１によって付与される。そして、データ送出制御部５５により、上述の送出フラッグが付与されたフレーム化データにおける、付加ヘッダ領域を除いた、フレームヘッダ領域とそれに続く情報領域とがＭＡＣメモリ部５０から取り出され、それらを含んだフレームを構成する送信用フレーム化データとして、ＳＡＲ部２４へと送出される。送信用フレーム化データが形成されてＳＡＲ部２４へと送出されることになったフレーム化データが形成するフレームにおける付加ヘッダ領域については、データ廃棄部５３による廃棄が行われる。
【００４８】
ＭＡＣメモリ部５０からの送信用フレーム化データが供給されるＳＡＲ部２４においては、送信用フレーム化データにＳＡＲ部２４に内蔵されたフレーム分解処理部５６によるフレーム分解処理が施されて、送信用フレーム化データに基づく出力ディジタルデータが得られ、それがＭＡＣ部２３から送出されてメモリ部５７に供給される。メモリ部５７においては、例えば、ＭＡＣ部２３におけるＭＡＣ管理部２６による制御のもとに、出力ディジタルデータの書込み及び読出しが行われ、メモリ部５７からの出力ディジタルデータが、選択部５８に供給される。
【００４９】
選択部５８は、ＭＡＣ部２３におけるＭＡＣ管理部２６により制御される選択制御部４７による動作制御のもとに、Ｄ／Ａ変換部５９ａ〜５９ｎのうちのいずれかを選択し、メモリ部５７からの出力ディジタルデータをＤ／Ａ変換部５９ａ〜５９ｎのうちの選択されたものに供給する。Ｄ／Ａ変換部５９ａ〜５９ｎのうちの選択されたものにおいては、出力ディジタルデータにＤ／Ａ変換処理が施されることにより出力ディジタルデータがアナログ化され、出力ディジタルデータに基づく出力情報信号が形成されて、それが送信部６０ａ〜６０ｎのうちの、Ｄ／Ａ変換部５９ａ〜５９ｎのうちの選択されたものに対応するものに供給される。即ち、Ｄ／Ａ変換部５９ａ〜５９ｎは、選択部５８からの出力ディジタルデータの基づく出力情報信号を得るアナログ信号発生部を形成している。そして、斯かるＤ／Ａ変換部５９ａ〜５９ｎに加えて、メモリ部５７及び選択部５８は、図１に示される選択・Ｄ／Ａ変換部２７を形成していることになる。
【００５０】
出力情報ディジタル信号が供給される送信部６０ａ〜６０ｎのうちのいずれかにおいては、出力情報信号を変調信号とする変調処理，それにより得られる変調出力に対する周波数帯域調整等が行われて、出力通信信号が形成される。そして、その出力通信信号が、加算部６１を通じ、さらに、レベル調整部６２により、そのレベルが所定レベルを超えないように調整され、例えば、出力通信信号ＳＮ１〜ＳＮｎのうちのいずれかとして、送信アンテナ６３を通じて送信される。従って、送信部６０ａ〜６０ｎ，加算部６１，レベル調整部６２及び送信アンテナ６３は、図１に示される出力送信部２８を形成している。
【００５１】
一方、ＭＡＣメモリ部５０に格納されたフレーム化データが、ＭＡＣ管理部２６により、ＭＡＣ部２３を含んだ中継ノードにとって必要なものと判断された場合には、フレーム化データ処理部２５において、データ転送部５２により、当該フレーム化データに含まれるＢａｓｅヘッダ領域及びフレームヘッダ領域の各種の識別情報がＭＡＣメモリ部５０から複写されて取り出され、それにアドレスＣポインタ領域が付加されて、例えば、図５のＣに示されるような、Ｂａｓｅヘッダ領域及びフレームヘッダ領域を含んだフレームを構成するヘッダデータが形成され、それがフレーム化データ処理部２５から導出されて、インターフェース部１２からメインバス１４を通じてコア部１３へと転送される。このように、インターフェース部１２からコア部１３へと転送されるヘッダデータは、ＭＡＣメモリ部５０に格納されたフレーム化データが構成するフレームにおける、情報領域を含まない、Ｂａｓｅヘッダ領域及びフレームヘッダ領域だけを含むものとされる。
【００５２】
また、フレーム化データ処理部２５においては、コア部１３からの、フラッグ処理済のヘッダデータがメインバス１４を通じて到来すると、データ取込部５４により、そのフラッグ処理済のヘッダデータがＭＡＣメモリ部５０に取り込まれる。続いて、ＭＡＣメモリ部５０に格納されている図５のＢに示されるようなフレームを構成するフレーム化データに含まれるフレームヘッダ領域の識別情報に、フラッグ処理済のヘッダデータに付与されたフラッグに応じた追加，修正等の変更が加えられる。そして、フレーム化データ処理部２５にあっては、データ送出制御部５５により、ＭＡＣメモリ部５０から、変更が加えられた識別情報が配されたフレームヘッダ領域とそれに続く情報領域とから成るフレームを形成するフレーム化データが取り出され、それが送信用フレーム化データとして、フレーム化データ処理部２５からＳＡＲ部２４へと送出される。ＭＡＣメモリ部５０に残される、使用済みの付加ヘッダ領域及びフラッグ処理済のヘッダデータ等については、フレーム化データ処理部２５におけるデータ廃棄部５３による廃棄が行われる。
【００５３】
このようにしてフレーム化データ処理部２５からＳＡＲ部２４へと送出される送信用フレーム化データに対しても、ＳＡＲ部２４に内蔵されたフレーム分解処理部５６によるフレーム分解処理が施されて、送信用フレーム化データに基づく出力ディジタルデータが得られ、それがメモリ部５７に書き込まれるとともにメモリ部５７から読み出されて、選択部５８に供給される。続いて、選択部５８から、それにより選択されたＤ／Ａ変換部５９ａ〜５９ｎのうちのいずれかに供給され、Ｄ／Ａ変換部５９ａ〜５９ｎのうちの選択されたものにおいて、出力ディジタルデータに基づく出力情報信号が形成され、それが送信部６０ａ〜６０ｎのうちの、Ｄ／Ａ変換部５９ａ〜５９ｎのうちの選択されたものに対応するものに供給される。
【００５４】
そして、出力情報信号が供給される送信部６０ａ〜６０ｎのうちのいずれかにおいて、出力情報信号に基づく出力通信信号が形成され、その出力通信信号が、加算部６１を通じ、さらに、レベル調整部６２によるレベル調整を受けて、例えば、出力通信信号ＳＮ１〜ＳＮｎのうちのいずれかとして、送信アンテナ６３を通じて送信される。
【００５５】
図６は、図１に示されるコア部１３の具体構成例を示す。
【００５６】
図６に示される具体構成例にあっては、インターフェース部１２におけるＭＡＣ部２３からメインバス１４を通じて到来するヘッダデータが、システムバス１５を通じて履歴データ保存部３３に連結されたヘッダデータ格納部３２に供給される。
【００５７】
ヘッダデータ格納部３２は、ヘッダデータの格納に用いられるヘッダデータメモリ部７１，コア管理部３１におけるデータ処理部３５による動作制御のもとにヘッダデータメモリ部７１に対するデータの書込み及び読出し制御を行うヘッダデータメモリ制御部７２、及び、ヘッダデータメモリ部７１が扱うデータについての暫時バックアップの役割を果たすスナップショットメモリ部７３を含んで構成されている。ヘッダデータメモリ部７１は、例えば、リング・バッファ(Ring Buffer) によって構成される。また、履歴データ保存部３３は、履歴データの一時的格納に用いられる履歴データメモリ部７４，履歴データを保存して履歴データベースを構築する履歴データ保存メモリ部７５、及び、コア管理部３１におけるデータ処理部３５による動作制御のもとに履歴データメモリ部７４及び履歴データ保存メモリ部７５の夫々に対するデータの書込み及び読出し制御を行う履歴データメモリ制御部７６を含んで構成されている。履歴データメモリ部７４及び履歴データ保存メモリ部７５も、例えば、リング・バッファ(Ring Buffer) によって構成される。
【００５８】
このようなもとで、ヘッダデータ格納部３２にあっては、インターフェース部１２におけるＭＡＣ部２３からメインバス１４を通じて到来するヘッダデータが、ヘッダデータメモリ制御部７２を通じてヘッダデータメモリ部７１に格納される。ヘッダデータメモリ部７１に格納されるヘッダデータは、例えば、図５のＣに示されるように、Ｂａｓｅヘッダ領域及びフレームヘッダ領域から成るフレームを構成するものである。
【００５９】
このようにして、ヘッダデータメモリ部７１に格納されたヘッダデータは、それにおけるフレームヘッダ領域が、コア管理部３１におけるデータ処理部３５による動作制御のもとに、場合に応じて、ヘッダデータメモリ部７１から読み出され、履歴データを形成するものとされて、システムバス１５を通じて履歴データメモリ部７４に一時的に格納され、その後、履歴データ保存メモリ部７５に保存されて履歴データベースに加えられる。
【００６０】
コア管理部３１におけるデータ処理部３５は、各々がメインバス１４及びシステムバス１５の両者に連結されたデータ取込部８１，データ比較部８２，データ転送部８３，データ保存部８４及びデータ廃棄部８５を含んで構成されており、その全体が、集中制御部３４による動作制御のもとにおかれている。
【００６１】
データ取込部８１は、ヘッダデータ格納部３２におけるヘッダデータメモリ制御部７２に、インターフェース部１２におけるＭＡＣ部２３からメインバス１４を通じてヘッダデータ格納部３２に到達するヘッダデータのヘッダデータメモリ部７１への書き込みを行わせ、ヘッダデータがヘッダデータメモリ部７１に格納される状態を設定する。
【００６２】
データ比較部８２は、ヘッダデータ格納部３２におけるヘッダデータメモリ部７１に格納されたヘッダデータと、履歴データ保存部３３における履歴データ保存メモリ部７５に保存された履歴データとを比較する。そして、データ比較部８２は、ヘッダデータと履歴データとの比較の結果から、例えば、インターフェース部１２においてヘッダデータが得られることになった元の入力情報信号の送信元が、当該インターフェース部１２を備えた通信装置により形成される中継ノードに所属する通信端末であるか否か，インターフェース部１２においてヘッダデータが得られることになった元の入力情報信号の送信先が、当該インターフェース部１２を備えた通信装置により形成される中継ノードに所属する通信端末であるか否か、インターフェース部１２においてヘッダデータが得られることになった元の入力情報信号が、過去において当該インターフェース部１２を備えた通信装置に到来したことがあるか等々についての、ヘッダデータに関する判定を行う。さらに、データ比較部８２は、ヘッダデータに関する判定の結果に応じたフラッグをヘッダデータメモリ部７１に格納されたヘッダデータに付与するフラッグ処理を行う。
【００６３】
データ転送部８３は、ヘッダデータ格納部３２におけるヘッダデータメモリ制御部７２に、データ比較部８２によるフラッグ処理が行われて得られるフラッグ処理済のヘッダデータをヘッダデータメモリ部７１から読み出させ、読み出されたフラッグ処理済のヘッダデータをメインバス１４を通じてインターフェース部１２のＭＡＣ部２３におけるフレーム化データ処理部２５へと転送する。
【００６４】
データ保存部８４は、ヘッダデータ格納部３２におけるヘッダデータメモリ部７１に格納されたヘッダデータと、履歴データ保存部３３における履歴データ保存メモリ部７５に保存された履歴データとを比較する。続いて、データ保存部８４は、その比較結果に基づいて、ヘッダデータメモリ部７１に格納されたヘッダデータが、新たな履歴データとして履歴データ保存部３３における履歴データ保存メモリ部７５に保存されるべきフレームヘッダ領域を有したものか否かを判断する。
【００６５】
その結果、ヘッダデータメモリ部７１に格納されたヘッダデータが、新たな履歴データとして履歴データ保存メモリ部７５に保存されるべきフレームヘッダ領域を有したものである場合には、データ保存部８４は、ヘッダデータ格納部３２におけるヘッダデータメモリ制御部７２に、ヘッダデータメモリ部７１に格納されたヘッダデータにおけるＢａｓｅヘッダ領域及びフレームヘッダ領域をヘッダデータメモリ部７１から読み出させ、読み出されたＢａｓｅヘッダ領域及びフレームヘッダ領域から成るフレームを形成するデータを、システムバス１５を通じて履歴データ保存部３３に送り込む。さらに、データ保存部８４は、履歴データ保存部３３における履歴データメモリ制御部７６に、履歴データ保存部３３に送り込まれた、図５のＤに示されるような、Ｂａｓｅヘッダ領域及びフレームヘッダ領域から成るフレームを形成するデータを、履歴データメモリ部７４に書き込んで格納する状態をとらせるとともに、その後、履歴データメモリ制御部７６に、履歴データメモリ部７４に書き込まれたデータが形成するフレームにおけるフレームヘッダ領域を、履歴データとして、履歴データ保存メモリ部７５に保存する状態をとらせる。それにより、例えば、図５のＥに示されるような、フレームヘッダ領域が、新たな履歴データとして、履歴データ保存メモリ部７５に保存されて履歴データベースを増築することになる。
【００６６】
データ廃棄部８５は、ヘッダデータ格納部３２における使用済みデータ，不要データ等の、コア部１３における各種の使用済みデータについての廃棄処分を行う。
【産業上の利用可能性】
【００６７】
以上のような本発明に係る通信装置は、従前のメッシュ・ネットワークの利点を超える利点を具え、それに加えて、本来の通信情報についてのトラフィック以外のトラフィックの増大がまねかれることにより通信効率の低下が生じるという問題、さらには、ネットワーク制御情報についてのデータ量が増大することによりネットワークが不安定になる問題等を伴わないことになる、新しい通信ネットワークを構築できる複数の中継ノードの夫々の形成に供することができるものとして、通信ネットワークに広く適用することができるものである。
【図面の簡単な説明】
【００６８】
【図１】本発明に係る通信装置の一例を示すブロック構成図である。
【図２】本発明に係る通信装置の一例が適用されて形成された複数の中継ノードによって構築された通信ネットワークの例を示す概念図である。
【図３】図１に示される通信装置の例において行われる動作の基本的要素を簡略化してあらわす概念図である。
【図４】図１に示される通信装置の例におけるインターフェース部の具体構成例を示すブロック構成図である。
【図５】図１に示される通信装置の例において形成されるフレーム化データ及びヘッダデータの構成をあらわすデータフォーマットの一例を示すフォーマット図である。
【図６】図１に示される通信装置の例におけるコア部の具体構成例を示すブロック構成図である。
【符号の説明】
【００６９】
１１ａ〜１１ｉ・・・中継ノード，  １２・・・インターフェース部，  １３・・・コア部，  １４・・・メインバス，  １５・・・システムバス，  ２１・・・受信入力部，  ２２・・・Ａ／Ｄ変換・選択部，  ２３・・・ＭＡＣ部，  ２４・・・ＳＡＲ部，  ２５・・・フレーム化データ処理部，  ２６・・・ＭＡＣ管理部，  ２７・・・選択・Ｄ／Ａ変換部，  ２８・・・出力送信部，  ３１・・・コア管理部，  ３２・・・ヘッダデータ格納部，  ３３・・・履歴データ保存部，  ３４・・・集中制御部，  ３５・・・データ処理部，  ４９・・・フレーム化処理部，  ５０・・・ＭＡＣメモリ部，  ５２，８３・・・データ転送部，  ５３，８５・・・データ廃棄部，  ５４，８１・・・データ取込部，  ５５・・・データ送出制御部，  ５６・・・フレーム分解処理部，  ７１・・・ヘッダメモリ部，  ７２・・・ヘッダデータメモリ制御部，  ７３・・・スナップショットメモリ部，  ７４・・・履歴データメモリ部，  ７５・・・履歴データ保存メモリ部，  ７６・・・履歴データメモリ制御部，  ８４・・・データ保存部
【図１】
2006074413.tif 000003
【図２】
2006074413.tif 000004
【図３】
2006074413.tif 000005
【図４】
2006074413.tif 000006
【図５】
2006074413.tif 000007
【図６】
2006074413.tif 000008